(57)【要約】【課題】幅狭で挿入方向に短い第１のカード媒体（小型カード）と幅広で挿入方向に長い第２のカード媒体（大型カード）とを装着できるカードコネクタでのカード媒体の突出量を同じにする。【解決手段】小型カードは、第１の平坦部と第２の平坦部との間の扁平な収納空間１０６に挿入される際、第１の平坦部側に寄せられる。大型カードは、第２の平坦部側に寄せられて収納空間１０６に挿入される。スライダ２０１は、小型カードが突き当たる第１の当接部２０３と、大型カードが突き当たる第２の当接部２０４を有する。第２の当接部２０４は、第１の当接部２０３よりもカード媒体の挿入方向の奥側かつ収納空間１０６の側部寄りに位置する。スライダ２０１の基部２１１は、挿入方向の手前側に向かうにつれて第１の平坦部側に向かうよう傾斜する。スライダ２０１の復帰部２０６は、大型カードに押されて変位したスライダ２０１を元の位置に戻す。【選択図】図２
2012033273.tif 000002
【特許請求の範囲】
【請求項１】
カード媒体がスライド挿入される扁平な収納空間を確保し、スライド挿入された前記カード媒体の平面部に対向する第１の対向部及び第２の対向部を形成するハウジングと、
前記収納空間の一方の側部に寄せて配置され、前記カード媒体の挿入方向にスライド自在で、前記第１の対向部側に寄せて前記ハウジングにスライド挿入される第１のカード媒体と前記第１のカード媒体よりも長くかつ幅広で前記第２の対向部側に寄せて前記ハウジングにスライド挿入される第２のカード媒体とのいずれもが接触するスライダと、
を備え、
前記スライダは、
スライド挿入される前記第１のカード媒体の先端部が突き当たる第１の当接部と、
前記第１の当接部よりもカード媒体の挿入方向の奥側かつ前記第１の当接部よりも前記収納空間の側部寄りの位置で、スライド挿入される前記第２のカード媒体の先端部が突き当たる第２の当接部と、
前記挿入方向の手前側に向かうにつれて前記第１の対向部側に向かうよう傾斜する傾斜部と、
弾性を有し、前記第１の対向部側に変位した前記スライダを元の位置に復帰させる復帰部と、
を有する、カードコネクタ。
【請求項２】
前記スライダは、
弾性を有し、前記幅方向に動き、スライド挿入される前記第１のカード媒体の側部に係合する第１の係合部と、
前記第１の係合部よりも前記収納空間の側部寄りの位置し、弾性を有し、前記幅方向に動き、スライド挿入される前記第２のカード媒体の側部に係合する第２の係合部と、
を有する、
請求項１記載のカードコネクタ。
【請求項３】
前記第１のカード媒体の前記第１の対向部に対向する面の先端側の角部には、前記挿入方向の手前側に位置する段部が設けられ、
前記第１の当接部には、前記段部が当接する、
請求項１又は２記載のカードコネクタ。
【請求項４】
前記第２のカード媒体の先端側の角部には、前記幅方向及び前記挿入方向のいずれに対しても傾斜する切欠部が設けられ、
前記第２の当接部は、前記切欠部と同じ向きに延びている、
請求項１から４のいずれか一に記載のカードコネクタ。
【請求項５】
前記スライダは、金属板をプレス加工して形成される、
請求項１から４のいずれか一に記載のカードコネクタ。
【発明の詳細な説明】
【技術分野】
【０００１】
本発明は、携帯電話機、電話機、ＰＤＡ（ｐｅｒｓｏｎａｌ  ｄｉｇｉｔａｌ  ａｓｓｉｓｔａｎｃｅ）、携帯型オーディオ、ゲーム機、カメラ、プリンタ、情報端末機器等の各種の電子機器に適用され、サイズの異なる複数種のカード媒体を装着できるカードコネクタに関する。
【背景技術】
【０００２】
データを記憶保持するカード媒体を装着するためのカードコネクタを備える各種の電子機器（携帯電話機、電話機、ＰＤＡ（ｐｅｒｓｏｎａｌ  ｄｉｇｉｔａｌ  ａｓｓｉｓｔａｎｃｅ）、携帯型オーディオ、ゲーム機、カメラ、プリンタ、情報端末機器等）が普及している。カード媒体には、例えば、ＣＰＵやメモリ用のＩＣチップを搭載するＩＣカード及びＰＣカード、並びに、ＳＤカード及びＳＩＭカード等があり、種類に応じてサイズが異なっている。そして、種々のカード媒体が普及する中、カードコネクタに対し、低背化や小型化のみならず、複数種のカード媒体を装着できるようにすることが求められてきている。また、電子機器のハウジングに蓋部を設け、ハウジングの内部で蓋部の近傍にカードコネクタを配置し、カード媒体の一部をカードコネクタから突出させ、蓋部でこの突出した部分を押さえることも行われている。
【０００３】
図１３は、カードコネクタの従来例を示す模式図である。従来、図１３に示すような、カード媒体の挿入方向にスライド自在のスライダユニット９０２を備えるカードコネクタ９０１がある。このカードコネクタ９０１には、幅狭で挿入方向に短い第１のカード媒体ＣＣ１と、第１のカード媒体ＣＣ１よりも挿入方向に数ミリメートルほど長い幅広の第２のカード媒体ＣＣ２とのいずれも装着できる。スライダユニット９０２は、第１のカード媒体ＣＣ１の先端部ＣＣａ１と第２のカード媒体ＣＣ２の先端部ＣＣａ２とのいずれもが突き当たる当接部９０３を有する。
【０００４】
別のカードコネクタの従来例は、特許文献１に記載のカードコネクタ２０である。特許文献１の図１〜図９を参照する。このカードコネクタ２０は、カード媒体の挿入方向にスライド自在のスライダ４０を備える。スライダ４０には、可動部材５０が回動自在に取り付けられている。可動部材５０には、長いカード（第１のカードＣ１）の前端部の位置規制をする第１の当接部４２及び第１の規制部４３、並びに、短いカード（第２のカードＣ２）の前端部の位置規制をする第２の当接４４及び第２の規制部４５が、カード媒体の挿入方向に位置を違え、さらに、カード媒体の厚さ方向に違えて設けられる。
【先行技術文献】
【特許文献】
【０００５】
【特許文献１】特許第４４３６４０４号公報（特に、図９、図１６）
【発明の概要】
【発明が解決しようとする課題】
【０００６】
図１３に示すカードコネクタ９０１を電子機器のハウジングに収納し、電子機器のハウジングの蓋部９０４でカードコネクタ９０１から突出したカード媒体の一部を押さえようとすると、蓋部９０４は、カードコネクタ９０１に装着された第１のカード媒体ＣＣ１を保持できない。これは、第１のカード媒体ＣＣ１と第２のカード媒体ＣＣ２とで長さが異なるためである。
【０００７】
一方、特許文献１に記載のカードコネクタ２０は、幅狭で挿入方向に長いカードと、幅広で挿入方向に短いカードとを装着させるものである。このため、第１のカード媒体ＣＣ１（幅狭で挿入方向に短い）と第２のカード媒体ＣＣ２（幅広で挿入方向に長い）とを装着させる図１３に示すようなカードコネクタ９０１には、特許文献１に記載のスライダ４０及び可動部材５０を適用できない。
【０００８】
本発明は、上記の点を鑑みてなされたものであり、幅狭で挿入方向に短い第１のカードと幅広で挿入方向に長い第２のカードとを装着できるカードコネクタでのカード媒体の突出量を同じにすることを目的とする。
【課題を解決するための手段】
【０００９】
本発明のカードコネクタは、カード媒体がスライド挿入される扁平な収納空間を確保し、スライド挿入された前記カード媒体の平面部に対向する第１の対向部及び第２の対向部を形成するハウジングと、前記収納空間の一方の側部に寄せて配置され、前記カード媒体の挿入方向にスライド自在で、前記第１の対向部側に寄せて前記ハウジングにスライド挿入される第１のカード媒体と前記第１のカード媒体よりも長くかつ幅広で前記第２の対向部側に寄せて前記ハウジングにスライド挿入される第２のカード媒体とのいずれもが接触するスライダと、を備え、前記スライダは、スライド挿入される前記第１のカード媒体の先端部が突き当たる第１の当接部と、前記第１の当接部よりもカード媒体の挿入方向の奥側かつ前記第１の当接部よりも前記収納空間の側部寄りの位置で、スライド挿入される前記第２のカード媒体の先端部が突き当たる第２の当接部と、前記挿入方向の手前側に向かうにつれて前記第１の対向部側に向かうよう傾斜する傾斜部と、弾性を有し、前記第１の対向部側に変位した前記スライダを元の位置に復帰させる復帰部と、を有する。
【発明の効果】
【００１０】
本発明によれば、第１の当接部及び第２の当接部の位置関係によって、幅狭で挿入方向に短い第１のカードと幅広で挿入方向に長い第２のカードとを装着できるカードコネクタでのカード媒体の突出量を同じにすることができる。そして、本発明では、傾斜部に対する第２のカードの接触や復帰部の復元力によりスライダがカードコネクタの厚さ方向に動くので、カードコネクタの低背化や小型化も実現できる。
【図面の簡単な説明】
【００１１】
【図１】（ａ）は、カードコネクタの斜視図である。（ｂ）は、カードコネクタの正面図である。
【図２】（ａ）は、カバーが取り外された状態のカードコネクタの斜視図である。（ｂ）は、カバーが取り外された状態のカードコネクタの平面図である。
【図３】（ａ）は、大型カードの平面図である。（ｂ）は、大型カードの底面図である。
【図４】（ａ）は、小型カードの平面図である。（ｂ）は、小型カードの底面図である。（ｃ）は、小型カードを先端側から見た図である。
【図５】（ａ）は、スライダを平面側から見た斜視図である。（ｂ）は、スライダを底面側から見た斜視図である。
【図６】（ａ）は、スライダの平面図である。（ｂ）は、スライダの左側面図である。
【図７】（ａ）は、小型カードが装着された状態のカードコネクタの斜視図である。（ｂ）は、小型カードが装着された状態のカードコネクタの平面図である。
【図８】スライダに接触した小型カードの底面図である。
【図９】（ａ）は、スライダに接触した大型カードの斜視図である。（ｂ）は、スライダに接触した大型カードの平面図である。
【図１０】図７（ｂ）のＢ−Ｂ線断面図である。
【図１１】図９（ｂ）のＣ矢視図である。
【図１２】小型カードに代えて大型カードがカードコネクタに装着された状態での図７（ｂ）のＢ−Ｂ線断面図である。
【図１３】カードコネクタの従来例を示す模式図である。
【発明を実施するための形態】
【００１２】
実施の一形態を、図１（ａ）、図１（ｂ）ないし図１２に基づいて説明する。図１（ａ）は、カードコネクタ１０１の斜視図である。図１（ｂ）は、カードコネクタ１０１の正面図である。カードコネクタ１０１は、幅広で長い大型カード３０１（第２のカード媒体）（図３（ａ）及び図３（ｂ）参照）と幅狭で短い小型カード４０１（第１のカード媒体）（図４（ａ）及び図４（ｂ）参照）とのいずれも装着できるものである。カードコネクタ１０１は、ハウジング１０２を備える。ハウジング１０２は、樹脂成形されたボディ１０３にカバー１０４を被せて構成されるもので、平面視略矩形の平坦な箱型形状をなす。説明の都合上、図１（ａ）にあらわれているハウジング１０２の一方の平坦部を、第２の平坦部１０２ｂと呼ぶ。また、第２の平坦部１０２ｂとは反対側に位置するハウジング１０２の他方の平坦部を、第１の平坦部１０２ａと呼ぶ。そして、第２の平坦部１０２ｂ側を上方とし、第１の平坦部１０２ａ側を下方とする。なお、第１の平坦部１０２ａは、特許請求の範囲でいうところの第１の対向部に相当する。また、第２の平坦部１０２ｂは、特許請求の範囲でいうところの第２の対向部に相当する。
【００１３】
ハウジング１０２の正面側の側面には、挿入口１０５が開口する。ハウジング１０２の内部には、挿入口１０５に連通する収納空間１０６が形成される。この収納空間１０６は、大型カード３０１や小型カード４０１がスライド挿入される扁平なものである。第１の平坦部１０２ａ及び第２の平坦部１０２ｂは、収納空間１０６の下限と上限とをそれぞれ規定する。第１の平坦部１０２ａ及び第２の平坦部１０２ｂは、いずれも、収納空間１０６にスライド挿入されたカード媒体（大型カード３０１、小型カード４０１）の平面部に対向する。
【００１４】
本実施の形態のカードコネクタ１０１では、大型カード３０１は、挿入口１０５から、上方側（第２の平坦部１０２ｂ側）に寄せて、第１の平坦部１０２ａや第２の平坦部１０２ｂに平行に挿入されて押し込まれ、収納空間１０６に収納される。また、小型カード４０１は、挿入口１０５から、下方側（第２の平坦部１０２ｂ側）に寄せて、第１の平坦部１０２ａや第２の平坦部１０２ｂに平行に挿入されて押し込まれ、収納空間１０６に収納される。
【００１５】
ボディ１０３には、カード支持段部１０７が設けられる。カード支持段部１０７は、挿入口１０５の両側部分の下方側に位置し、カードコネクタ１０１の正面側から背面側に向けて延びる。それぞれのカード支持段部１０７の上方には、コ字形状のガイド部１０８が形成される。ガイド部１０８のコ字形状は、挿入口１０５の内側に開く。
【００１６】
図２（ａ）は、カバー１０４が取り外された状態のカードコネクタ１０１の斜視図である。図２（ｂ）は、カバー１０４が取り外された状態のカードコネクタ１０１の平面図である。カードコネクタ１０１は、第１のコンタクト１１１と、第２のコンタクト１１２とを備える。第１のコンタクト１１１は、収納空間１０６に挿入された大型カード３０１のパッド部３０２（図３（ｂ）参照）に接触する。第２のコンタクト１１２は、収納空間１０６に挿入された小型カード４０１のパッド部４０２（図４（ｂ）参照）に接触する。第１のコンタクト１１１及び第２のコンタクト１１２は、いずれも、挿入口１０５とは反対側でボディ１０３の上面から立設する後壁部１０３ａに圧入され、カードコネクタ１０１の幅方向（カードコネクタ１０１の右側面から左側面に向かう方向）に複数並んでいる。第１のコンタクト１１１は、後壁部１０３ａから収納空間１０６側に突出し、第２の平坦部１０２ｂ（図１（ａ）及び図１（ｂ）参照）の近傍に位置する。第２のコンタクト１１２は、後壁部１０３ａから収納空間１０６側に突出し、第１の平坦部１０２ａ（図１（ｂ）参照）の近傍で第２の平坦部１０２ｂよりも下方に位置する。
【００１７】
図３（ａ）は、大型カード３０１の平面図である。図３（ｂ）は、大型カード３０１の底面図である。大型カード３０１は、小型カード４０１（図４（ａ）〜図４（ｃ）に基づいて後述）よりも長くかつ幅広な板状で、長方形の一の角部に切欠部３０３を形成する五角形形状をなしている。切欠部３０３は、大型カード３０１の長辺及び短辺のいずれに対しても傾斜する。大型カード３０１において切欠部３０３から延びる短辺を、大型カード３０１の先端側と呼ぶ。大型カード３０１の一方の面（底面）の先端側には、パッド部３０２が列状に並んでいる。パッド部３０２は、第１のコンタクト１１１（図２（ａ）及び図２（ｂ）参照）に接触し、カードコネクタ１０１を搭載している電子機器（図示せず）との電気信号の通信経路を構成する。また、大型カード３０１において切欠部３０３から延びる長辺には、第２の係合部２０８（図５（ａ）、図５（ｂ）等参照）が入り込む係合溝３０４が形成されている。このような大型カード３０１の一例は、ＳＤメモリーカード（商品名）である。
【００１８】
図４（ａ）は、小型カード４０１の平面図である。図４（ｂ）は、小型カード４０１の底面図である。図４（ｃ）は、小型カード４０１を先端側から見た図である。小型カード４０１は、大型カード３０１と略同じ厚さの板状で、大型カード３０１よりも短く幅狭な長方形の一の角部に切欠部４０３を形成し、概ね五角形形状となっている。切欠部４０３は、厳密には平面視において丸みを帯びていて、外側に凸となっている。小型カード４０１において切欠部４０３から延びる短辺を、小型カード４０１の先端部と呼ぶ。小型カード４０１の一方の面（底面４０１ｃ）の先端側には、パッド部４０２が列状に並んでいる。パッド部４０２は、第２のコンタクト１１２（図２（ａ）及び図２（ｂ）参照）に接触し、カードコネクタ１０１を搭載している電子機器（図示せず）との電気信号の通信経路を構成する。また、小型カード４０１において切欠部４０３から延びる長辺には、第１の係合部２０７（図５（ａ）、図５（ｂ）等参照）が入り込む係合溝４０８が形成されている。このような小型カード４０１の一例は、メモリースティックＤｕｏカード（商品名）である。
【００１９】
小型カード４０１の底面側の構造について、さらに説明する。小型カード４０１のパッド部４０２は、小型カード４０１の底面４０１ｃ側から見て左側に寄せて列状に十個並んでいる。パッド部４０２は、小型カード４０１の底面４０１ｃから凹んだ箇所に位置付けられる。そして、各パッド部４０２の間には、細仕切部４０４が、小型カード４０１の挿入方向に櫛歯状に延びている。
【００２０】
十個のパッド部４０２からなる群の左隣りには、第１の太仕切部４０５ａがある。十個のパッド部４０２からなる群の右隣りには、第２の太仕切部４０５ｂがある。
【００２１】
第１の太仕切部４０５ａ及び第２の太仕切部４０５ｂのいずれも、細仕切部４０４よりも太い。第１の太仕切部４０５ａ及び第２の太仕切部４０５ｂは、いずれも、小型カード４０１の挿入方向に延びている。第１の太仕切部４０５ａは、小型カード４０１の一方の側辺（第１の側辺４０１ａ）に沿っている。第２の太仕切部４０５ｂは、小型カード４０１の他方の側辺（第２の側辺４０１ｂ）から離れた箇所に位置する。第２の太仕切部４０５ｂと第２の側辺４０１ｂとの間には、溝部４０６が設けられる。溝部４０６は、小型カード４０１の先端から小型カード４０１の挿入方向に延びている。
【００２２】
前述のように、小型カード４０１の第２の側辺４０１ｂ側にある先端側の角部には、切欠部４０３が設けられている。そして、切欠部４０３と溝部４０６とによって、小型カード４０１の第２の側辺４０１ｂの先端は、細仕切部４０４の先端や第１の太仕切部４０５ａの先端及び第２の太仕切部４０５ｂの先端のいずれよりも挿入方向の手前側に位置している。これにより、小型カード４０１の第２の側辺４０１ｂ側には、挿入方向の手前側に位置する段部４０７が設けられる。段部４０７の先端部分の形状を、小型カード４０１の厚さ方向について詳細に述べる。段部４０７は、溝部４０６を形成する溝部底面４０６ａから小型カード４０１の底面４０１ｃに至る方向に略垂直に立ち上がっている。そして、段部４０７の先端部分で溝部底面４０６ａから底面４０１ｃまでの厚さ方向の距離の略半分が小型カード４０１の底面４０１ｃと直交する面で構成される。段部４０７の先端部分の残りの略半分は、小型カード４０１の底面４０１ｃに向けて面取りされている。
【００２３】
図２（ａ）及び図２（ｂ）を再び参照する。カードコネクタ１０１は、イジェクト機構１２１を備える。イジェクト機構１２１は、スライダ２０１と、ハート形カム部１２２と、スプリング１２３と、カムレバー１２４とを備える。スライダ２０１は、収納空間１０６内でカード媒体の挿入方向に対して左側の側部で後壁部１０３ａの近傍に寄せて配置される。スライダ２０１は、挿入口１０５から後壁部１０３ａに向かう方向（カード媒体の挿入方向）にスライド往復自在である。スライダ２０１の構造の詳細については、図５（ａ）、図５（ｂ）、図６（ａ）及び図６（ｂ）に基づいて後述する。
【００２４】
ハート形カム部１２２は、収納空間１０６の側部に寄せ、かつ、収納空間１０６の奥側に設けられる。ハート形カム部１２２は、ハート形カム１２５とカム溝１２６とを含んでいる。カム溝１２６は、ハート形カム１２５の周りに周状に設けられる。カムレバー１２４の一方の端部は、スライダ２０１に拘束される。カムレバー１２４の他方の端部は、カム溝１２６に入り込んでカム溝１２６の底面に圧力をもって接している。カム溝１２６の底面は段状になっていて、カムレバー１２４の他方の端部が所定の周回方向にのみ動くようになっている。
【００２５】
スプリング１２３は、挿入口１０５から後壁部１０３ａに向かう方向に延びるスペース巻のコイルバネである。スプリング１２３の後壁部１０３ａ側の端部は、ボディ１０３に対して固定されている。スプリング１２３には、スライダ２０１に備わる爪体２０２（図５（ａ）、図５（ｂ）等も参照）が引っ掛かっている。スプリング１２３は、爪体２０２を介して、スライダ２０１を挿入口１０５側に動かそうとする。
【００２６】
カードコネクタ１０１は、シャッタ１３１と、トーションバネ（図示せず）と、連動板１３２とを備える。シャッタ１３１は、挿入口１０５から挿入される小型カード４０１の浮き上がりを抑えるものであり、小型カード４０１（図４（ａ）〜図４（ｃ）参照）を第１のコンタクト１１１に接触させないようにする。シャッタ１３１は、長尺の板状部１３１ａを有する。板状部１３１ａは、収納空間１０６内でカードコネクタ１０１の幅方向に延びる。板状部１３１ａの両端部からは、シャッタ脚部１３１ｂが下方に延びている。シャッタ１３１は、板状部１３１ａとシャッタ脚部１３１ｂとによって、全体として門形状をなし、小型カード４０１が通過するコ字型の通過空間１３１ｃを形成する。シャッタ脚部１３１ｂのそれぞれからは、シャッタ軸部（図示せず）が延びる。シャッタ軸部は、板状部１３１ａに平行に延びる。シャッタ１３１は、ボディ１０３の内側壁にシャッタ軸部を保持され、シャッタ軸部の軸回り方向に回転自在である。シャッタ軸部の外周には、トーションバネが巻きつくように配置されている。
【００２７】
シャッタ１３１は、トーションバネ（図示せず）によって図２（ａ）に示す矢印Ｒの方向に押され、第１の平坦部１０２ａや第２の平坦部１０２ｂ（いずれも図１（ａ）及び図１（ｂ）参照）に直交する方向に向けられる。これにより、シャッタ１３１の板状部１３１ａは、挿入口１０５からスライド挿入される大型カード３０１の移動軌跡中に配置される。
【００２８】
挿入口１０５から大型カード３０１が挿入されると、シャッタ１３１の板状部１３１ａは、大型カード３０１に押されて矢印Ｒとは逆の方向に回転する。また、大型カード３０１が収納空間１０６から排出されると、トーションバネは、押されたシャッタ１３１を元の位置に戻す。
【００２９】
挿入口１０５から小型カード４０１がスライド挿入されると、小型カード４０１は、二つのカード支持段部１０７の間の空間を通過し、続いてシャッタ１３１により形成される通過空間１３５を通過して、収納空間１０６内に入り込む。このとき、シャッタ１３１の板状部１３１ａには、上方に浮き上がろうとする小型カード４０１の上面が接触する。シャッタ１３１の板状部１３１ａは、この小型カード４０１の浮き上がりを阻止する。
【００３０】
連動板１３２は、シャッタ１３１の板状部１３１ａの上方部分に回転自在に連結され、収納空間１０６内でシャッタ１３１よりも後壁部１０３ａ側に延びる板状の部材である。連動板１３２は、後壁部１０３ａに向けて突出する棒状の押え部１３２ａを有する。
【００３１】
連動板１３２は、トーションバネがシャッタ１３１を矢印Ｒの方向に回転させることにより、上方側（第２の平坦部１０２ｂ側）に持ち上げられる。上方側に持ち上げられた連動板１３２の押え部１３２ａは、通過空間１３５を通過した小型カード４０１の上面に対面し、小型カード４０１の上方側への移動を防ぐ。ここで、小型カード４０１に歪みが生じている場合、押え部１３２ａは、小型カード４０１の上面を押さえつけて小型カード４０１の歪みを矯正する。
【００３２】
大型カード３０１に押されてシャッタ１３１が矢印Ｒとは逆の方向に回転すると、連動板１３２が下方側（第１の平坦部１０２ａ側）に動く。下方側に動いた連動板１３２の押え部１３２ａは、大型カード３０１の下面に対面し、大型カード３０１の下方側への移動を防ぐ。ここで、大型カード３０１に歪みが生じている場合、押え部１３２ａは、大型カード３０１の下面を押さえつけて大型カード３０１の歪みを矯正する。
【００３３】
大型カード３０１が挿入口１０５から後壁部１０３ａに向けて収納空間１０６に押し込まれると、大型カード３０１は、シャッタ１３１を押した後に、スライダ２０１に接触する。また、小型カード４０１が挿入口１０５から後壁部１０３ａに向けて収納空間１０６に押し込まれると、小型カード４０１は、通過空間１３１ｃを通過した後に、スライダ２０１に接触する。スライダ２０１は、大型カード３０１や小型カード４０１に押されて後壁部１０３ａ側に動く。このとき、スライダ２０１の爪体２０２は、スプリング１２３を後壁部１０３ａ側に押して縮める。
【００３４】
その後、大型カード３０１や小型カード４０１の押し込みが解除されると、スプリング１２３は、爪体２０２を介して、スライダ２０１を挿入口１０５側に押す。このとき、カムレバー１２４はハート形カム１２５に引っ掛かる。これにより、スライダ２０１は、大型カード３０１や小型カード４０１を挿入口１０５から所定長さだけはみ出させる位置で停止する。この状態で、再び大型カード３０１や小型カード４０１が後壁部１０３ａ側に押し込まれると、カムレバー１２４とハート形カム１２５とが離反する。そして、大型カード３０１や小型カード４０１への押し込みが解除されると、スプリング１２３は、爪体２０２を介して、スライダ２０１を挿入口１０５側に押す。これにより、スライダ２０１は、大型カード３０１や小型カード４０１を挿入口１０５から排出させる。
【００３５】
カードコネクタ１０１は、さらに、第１の規制部１３６と、第２の規制部１３７と、押上部１３８とを有する。第１の規制部１３６は、挿入口１０５から挿入された大型カード３０１の左右両側面に接触するバネ体であり、この大型カード３０１の幅方向へのガタつきを防止する。第１の規制部１３６は、収納空間１０６の両側部のそれぞれに、カード支持段部１０７の上方で、カード支持段部１０７の挿入口１０５側の縁部よりも挿入方向の奥側に位置付けられる。第２の規制部１３７は、挿入口１０５から挿入された大型カード３０１を収納空間１０６の内側に押すバネ体である。収納空間１０６は、スライダ２０１とともに大型カード３０１を幅方向に挟み込み、この大型カード３０１の幅方向のガタつきを防止する。第２の規制部１３７は、収納空間１０６におけるスライダ２０１とは反対側の側部で、ガイド部１０８と同じ高さ位置に位置付けられる。押上部１３８は、ボディ１０３の底面における二つのカード支持段部１０７の間の部分を上方に切り起こして形成される。押上部１３８は、挿入口１０５から挿入された小型カード４０１を上方に押し上げる。
【００３６】
図５（ａ）は、スライダ２０１を平面側から見た斜視図である。図５（ｂ）は、スライダ２０１を底面側から見た斜視図である。スライダ２０１は、金属板をプレス加工して形成される。スライダ２０１は、基部２１１と、第１の当接部２０３と、第２の当接部２０４と、復帰部２０６と、第１の係合部２０７と、第２の係合部２０８とを有する。第１の当接部２０３には、スライド挿入される小型カード４０１の段部４０７（図４（ｂ）及び図４（ｃ）参照）が突き当たる。第２の当接部２０４には、スライド挿入される大型カード３０１の切欠部３０３（図３（ａ）及び図３（ｂ）参照）が突き当たる。第１の係合部２０７は、弾性を有し、カードコネクタ１０１の幅方向に動く。この第１の係合部２０７は、スライド挿入される小型カード４０１の係合溝４０８（図４（ｂ）参照）に係合する。第２の係合部２０８は、弾性を有し、カードコネクタ１０１の幅方向に動く。この第２の係合部２０８は、スライド挿入される大型カード３０１の係合溝３０４（図３（ａ）及び図３（ｂ）参照）に係合する。
【００３７】
図６（ａ）は、スライダ２０１の平面図である。図６（ｂ）は、スライダ２０１の左側面図である。図５（ａ）、図５（ｂ）、図６（ａ）及び図６（ｂ）を参照する。スライダ２０１は、図６（ａ）における右側及び図６（ｂ）における紙面手前側を収納空間１０６の内側に向け、図６（ａ）における左側及び図６（ｂ）における紙面奥側をカードコネクタ１０１の内側壁側に向けて、収納空間１０６内に配置される。
【００３８】
スライダ２０１は、基部２１１を有する。この基部２１１は、平坦であって、第１の平坦部１０２ａや第２の平坦部１０２ｂ（図１（ａ）及び図１（ｂ）参照）に対して挿入口１０５（図１（ａ）等参照）側を下にして後壁部１０３ａ（図２（ａ）等参照）側に向かうにつれて上方に向かうよう傾斜する向きに向けられる。
【００３９】
基部２１１における収納空間１０６の内側に向く側部からは、切込ＣＴ１が、カードコネクタ１０１の幅方向に延びる。切込ＣＴ１よりも挿入方向の手前側にある基部２１１の一部を、第１の部分２１１ａと呼ぶことがある。切込ＣＴ１よりも挿入方向の奥側にある基部２１１の一部を、第２の部分２１１ｂと呼ぶことがある。
【００４０】
第１の部分２１１ａにおける収納空間１０６の内側の部分は、挿入方向に延びる折目Ｆ１に沿って下方に折り曲げられる。第１の係合部２０７は、折目Ｆ１よりも下方の部分における挿入方向の手前側の先端部分を収納空間１０６の内側に向けて凸となるように角状に折り曲げて形成される。
【００４１】
第２の当接部２０４は、第２の部分２１１ｂを切り起こして形成される。この第２の当接部２０４は、挿入方向及び幅方向のいずれにも傾斜し、挿入口１０５から挿入される大型カード３０１の切欠部３０３と同じ方向に延びている。
【００４２】
第２の部分２１１ｂにおける収納空間１０６の内側の部分は、挿入方向に延びる折目Ｆ２に沿って下方に折り曲げられる。この折目Ｆ２は、前述の折目Ｆ１よりも収納空間１０６の内側に位置する。第１の当接部２０３は、切込ＣＴ１によって形成された第２の部分２１１ｂの挿入口１０５側の端面に形成される。この第１の当接部２０３は、折目Ｆ２で折り曲げられることで、正面視略Ｌ字形状をなしている。
【００４３】
ここで、基部２１１は、第１の当接部２０３よりもカード媒体の挿入方向の手前側及び奥側のいずれにも延び、カード媒体の挿入方向の手前側に向かうにつれて第１の平坦部１０２ａ側に向かうよう傾斜している。ここに、基部２１１は、傾斜部として機能する。また、第２の当接部２０４は、第１の当接部２０３よりもカード媒体の挿入方向の奥側かつ第１の当接部２０３よりも収納空間１０６の側部寄りに位置することになる。
【００４４】
復帰部２０６は、第２の部分２１１ｂから挿入方向の奥側に延びた部分を下方に折り曲げて形成される。折り曲げられることで、復帰部２０６には、弾性復元力が生じる。
【００４５】
第１の部分２１１ａにおける収納空間１０６の側部側の部分は、挿入方向に延びる折目Ｆ３に沿って上方に折り曲げられる。第２の係合部２０８は、折目Ｆ３よりも上方の部分における挿入方向の手前側の先端部分を収納空間１０６の内側に向けて凸となるように角状に折り曲げて形成される。これにより、第２の係合部２０８は、前述の第１の係合部２０７よりも収納空間１０６の側部寄りに位置することになる。
【００４６】
第１の部分２１１ａにおける折目Ｆ３よりもさらに上方の部分は、折目Ｆ３よりも上方で挿入方向に延びる折目Ｆ４に沿って折り曲げられて、最上段部２１１ｃを形成する。最上段部２１１ｃは、収納空間１０６の側部側に延びる。最上段部２１１ｃからは、爪体２０２及び内接部２１２が延びる。爪体２０２は、最上段部２１１ｃの挿入方向の手前側及び奥側のそれぞれから延びた部分を下方に折り曲げて形成される。内接部２１２は、最上段部２１１ｃにおける収納空間１０６の側部側から上方に延び、ボディ１０３（図２（ａ）等参照）の内側壁に接する。
【００４７】
第２の部分２１１ｂにおける収納空間１０６の側部側の部分は、コ字型に切込ＣＴ２を入れられて外側部分２１３と内側部分２１４とに分けられる。外側部分２１３は、折目Ｆ３の延長線上にある折目Ｆ５に沿って上方に折り曲げられ、イジェクト機構１２１（図２（ａ）等参照）における収納空間１０６の内側に向く面に接する。内側部分２１４は、折目Ｆ５に沿って下方に折り曲げられ、イジェクト機構１２１（図２（ａ）等参照）における収納空間１０６の内側に向く面に接する。
【００４８】
図７（ａ）は、小型カード４０１が装着された状態のカードコネクタ１０１の斜視図である。図７（ｂ）は、小型カード４０１が装着された状態のカードコネクタ１０１の平面図である。なお、説明のため、図７（ａ）及び図７（ｂ）では、カバー１０４は省略されている。小型カード４０１は、パッド部４０２（図４（ｂ）参照）を有する面を下方に向け、二つのカード支持段部１０７の間に位置付けられて第１の平坦部１０２ａ（図１（ｂ）参照）に沿うように挿入口１０５からスライド挿入される。これにより、小型カード４０１は通過空間１３１ｃ（図２（ａ）参照）を通過し、小型カード４０１の先端部分がスライダ２０１に接触する。
【００４９】
図８は、スライダ２０１に接触した小型カード４０１の底面図である。図７（ａ）、図７（ｂ）及び図８を参照する。小型カード４０１が収納空間１０６内で挿入方向の奥側に動くと、小型カード４０１の段部４０７がスライダ２０１の第１の当接部２０３に接触する。スライダ２０１は、小型カード４０１の段部４０７に押されて挿入方向の奥側に進む。その後、小型カード４０１の押し込みが解除されると、スライダ２０１は、スプリング１２３の弾性復元力により挿入口１０５の方向に押し戻される。これにより、スライダ２０１から延びるカムレバー１２４がハート形カム１２５に引っ掛かり、スライダ２０１が停止する。このときのスライダ２０１の位置を、説明のために停止位置Ｐ１と呼ぶ。スライダ２０１が挿入口１０５側に押し戻されると、スライダ２０１の第１の当接部２０３が小型カード４０１の段部４０７を挿入口１０５側に押す。その後、スライダ２０１が停止すると、小型カード４０１は停止して収納空間１０６内の所定の位置に位置付けられる。このとき、スライダ２０１の第１の係合部２０７は、小型カード４０１の係合溝４０８に入り込んで、小型カード４０１が挿入口１０５から抜け落ちることを防ぐ。そして、小型カード４０１の上面側に位置する連動板１３２によって、小型カード４０１が上方に浮き上がることはなくなる。さらに、小型カード４０１の両側面は、第１の規制部１３６に挟まれる。加えて、小型カード４０１の平面部は、押上部１３８（図２（ａ）及び図２（ｂ）参照）とシャッタ１３１に挟まれる。これにより、小型カード４０１のパッド部４０２は第２のコンタクト１１２に確実に接触する。
【００５０】
図９（ａ）は、スライダ２０１に接触した大型カード３０１の斜視図である。図９（ｂ）は、スライダ２０１に接触した大型カード３０１の平面図である。図７（ａ）、図７（ｂ）、図９（ａ）及び図９（ｂ）を参照する。なお、図７では、大型カード３０１を一点鎖線で示している。大型カード３０１は、パッド部３０２を有する面を上方に向け、大型カード３０１の両縁部３０１ａをガイド部１０８内に位置付けて第２の平坦部１０２ｂ（図１（ａ）及び図１（ｂ）参照）に沿うように挿入口１０５からスライド挿入される。これにより、大型カード３０１の先端部分はシャッタ１３１を押す。大型カード３０１は、挿入方向の奥側に進んで、大型カード３０１の先端部分がスライダ２０１に接触する。
【００５１】
大型カード３０１が収納空間１０６内で挿入方向の奥側に動くと、大型カード３０１の切欠部３０３がスライダ２０１の第２の当接部２０４に接する。スライダ２０１は、大型カード３０１の切欠部３０３に押されて挿入方向の奥側に進む。その後、大型カード３０１への押し込みが解除されると、スライダ２０１は、スプリング１２３の弾性復元力により挿入口１０５の方向に押し戻される。これにより、スライダ２０１から延びるカムレバー１２４がハート形カム１２５に引っ掛かり、スライダ２０１が停止する。このときにスライダ２０１は、停止位置Ｐ１（前述）に位置付けられる。スプリング１２３の弾性復元力によりスライダ２０１が挿入口１０５側に動くと、スライダ２０１の第２の当接部２０４が大型カード３０１の切欠部３０３を挿入口１０５側に押し戻す。その後、スライダ２０１が停止すると、大型カード３０１は停止して収納空間１０６内の所定の位置に位置付けられる。このとき、スライダ２０１の第２の係合部２０８は、大型カード３０１の係合溝３０４に入り込んで、大型カード３０１が挿入口１０５から抜け落ちることを防ぐ。また、小型カード４０１の下面側に位置する連動板１３２によって、大型カード３０１が下方に沈み込まない。さらに、大型カード３０１の両側面は、スライダ２０１と第２の規制部１３７に挟まれる。これにより、大型カード３０１のパッド部３０２は第１のコンタクト１１１に確実に接触する。
【００５２】
図１０は、図７（ｂ）のＢ−Ｂ線断面図である。図１１は、図９（ｂ）のＣ矢視図である。図１２は、小型カード４０１に代えて大型カード３０１がカードコネクタ１０１に装着された状態での図７（ｂ）のＢ−Ｂ線断面図である。本実施の形態のカードコネクタ１０１では、第１の当接部２０３及び第２の当接部２０４の位置関係によって、幅狭で挿入方向に短い小型カード４０１（第１のカード）と幅広で挿入方向に長い大型カード３０１（第２のカード）とのそれぞれのカードコネクタ１０１からの突出量を同じにすることができる。この点について、図８、図１０、図１１及び図１２を参照して説明する。
【００５３】
小型カード４０１は、シャッタ１３１が形成する通過空間１３１ｃ（図２（ａ）も参照）によって下方側（第１の平坦部１０２ａ側）に寄せられた状態で、収納空間１０６内にスライド挿入される（図１０）。ここで、小型カード４０１の段部４０７は、スライダ２０１に設けられる第１の当接部２０３に当接する。この第１の当接部２０３は、スライダ２０１の基部２１１の下方側で、第２の当接部２０４よりも挿入方向の手前側に位置する。
【００５４】
一方、大型カード３０１は、ガイド部１０８（図１（ａ）等参照）によって上方側（第２の平坦部１０２ｂ側）に寄せられた状態で、収納空間１０６内にスライド挿入される（図１２）。ここで、大型カード３０１の切欠部３０３は、スライダ２０１に設けられる第２の当接部２０４に当接する。この第２の当接部２０４は、スライダ２０１の基部２１１の上方側で、第１の当接部２０３よりも挿入方向の奥側に位置する。
【００５５】
上記のような第１の当接部２０３と第２の当接部２０４との挿入方向の位置の違いにより、挿入口１０５から突出する大型カード３０１及び小型カード４０１のそれぞれの突出量が同じになる。
【００５６】
また、本実施の形態のカードコネクタ１０１では、傾斜しているスライダ２０１の基部２１１への大型カード３０１の接触や復帰部２０６の復元力により、スライダ２０１がカードコネクタ１０１の厚さ方向に動く。このため、カードコネクタ１０１の低背化や小型化が実現される。この点について、図８、図１０、図１１及び図１２を参照して説明する。前述したように、スライダ２０１の基部２１１は、挿入口１０５側が下になるように傾斜している。ここで、大型カード３０１が上方側（第２の平坦部１０２ｂ側）に寄せられた状態で挿入口１０５からスライド挿入されると、大型カード３０１の下方の面の先端部分Ｔが基部２１１に接触する。そして、大型カード３０１が挿入方向の奥側に進むにつれて、先端部分Ｔが基部２１１を下方に押し下げる。これにより、スライダ２０１の全体が下方側に変位する。
【００５７】
スライダ２０１が下方に変位すると、復帰部２０６が収納空間１０６の底面に接触し、この底面に押されて撓む。その後、大型カード３０１が挿入口１０５から排出されると、復帰部２０６が、それ自身の弾性復元力によってスライダ２０１の全体を上方側に押し上げ、スライダ２０１を元の位置に復帰させる。
【００５８】
このようにスライダ２０１がカードコネクタ１０１の厚さ方向に動くことにより、挿入口１０５から挿入される小型カード４０１及び大型カード３０１のそれぞれの移動軌跡を重複させることができ、カードコネクタ１０１の低背化や小型化に寄与することができる。
【符号の説明】
【００５９】
１０１  カードコネクタ
１０２  ハウジング
１０２ａ  第１の平坦部（第１の対向部）
１０２ｂ  第２の平坦部（第２の対向部）
１０６  収納空間
２０１  スライダ
２０３  第１の当接部
２０４  第２の当接部
２０６  復帰部
２１１  基部（傾斜部）
２１３  外側部分
２１４  内側部分
３０１  大型カード（第２のカード媒体）
３０３  切欠部
４０１  小型カード（第１のカード媒体）
４０７  段部
【図１】
2012033273.tif 000003
【図２】
2012033273.tif 000004
【図３】
2012033273.tif 000005
【図４】
2012033273.tif 000006
【図５】
2012033273.tif 000007
【図６】
2012033273.tif 000008
【図７】
2012033273.tif 000009
【図８】
2012033273.tif 000010
【図９】
2012033273.tif 000011
【図１０】
2012033273.tif 000012
【図１１】
2012033273.tif 000013
【図１２】
2012033273.tif 000014
【図１３】
2012033273.tif 000015